【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
ａ）動作検出器と、
ｂ）ポインティング・デバイスの操作を記述する前記動作検出器から電気信号を受信し、
該受信した電気信号をホスト・データ・プロセッサに送信するための準備をする、
該動作検出器に接続された制御部と、
ｃ）電力制御回路と、
ｄ）電気エネルギーを蓄えた電力電池であり、前記電力制御回路に接続された該電力電池と、および、
ｅ）電磁放射から電気エネルギーを生成する光電池エレメントであり、前記電力制御回路
に接続された該光電池エレメントと、
を含み、
前記電力制御回路は、前記光電池エレメントにより生成された電気エネルギーと、前記電力電池に蓄えられた電気エネルギーとを、前記制御部に供給するポインティング・デバイス。
【請求項２】
ａ）アンテナと、
ｂ）前記制御部から前記準備された信号を受信し、該準備された信号を前記アンテナを介して前記ホスト・データ・プロセッサに送信する、該制御部に接続された送信機と、
を更に含み、
ｃ）電力電池は第２電池であり、
ｄ）前記電力制御回路は、前記光電池エレメントにより生成された電気エネルギーと、前記電力電池に蓄えられた電気エネルギーとを、前記送信機に更に供給する、
請求項１に記載されたポインティング・デバイス。
【請求項３】
ａ）前記電力制御回路は、前記光電池エレメントにより生成された電気エネルギーと、前記電力電池に蓄えられた電気エネルギーとを、前記動作検出器に供給し、
ｂ）前記電力制御回路は、前記光電池エレメントにより生成された電気エネルギーが前記制御部、前記送信機、及び前記動作検出器へ前記電力制御回路によって供給された電力を超過すると、電力電池を充電する請求項２に記載されたポインティング・デバイス。
【請求項４】
ａ）１または複数のスイッチを含み、該１または複数のスイッチのそれぞれが少なくとも２つの状態を想定でき、前記制御部が該１または複数のスイッチの状態を感知できるように該制御部に接続されたスイッチ・アセンブリと、
ｂ）前記１または複数のスイッチを作動させる１または複数のボタンと、
を更に含み、
前記制御部が前記１または複数のスイッチの状態を感知して、該１または複数のスイッチの状態に対応したクリック信号を、前記ホスト・データ・プロセッサに送信するために送信機に送信する請求項３に記載されたポインティング・デバイス。
【請求項５】
前記送信機がＲＦ送信機を含む、請求項４に記載されたポインティング・デバイス。
【請求項６】
前記送信機が赤外線送信機を含む、請求項４に記載されたポインティング・デバイス。
【請求項７】
ポインティング・デバイスがコードレスのコンピューター・マウスである、請求項５または請求項６に記載されたポインティング・デバイス。
【請求項８】
ポインティング・デバイスがコードレスのコンピューター・トラックボールである、請求項５または請求項６に記載されたポインティング・デバイス。
【請求項９】
ポインティング・デバイスがコードレスのコンピューター・ペンである、請求項５または請求項６に記載されたポインティング・デバイス。
【請求項１０】
ポインティング・デバイスがコードレスのジョイスティックである、請求項５または請求項６に記載されたポインティング・デバイス。
【請求項１１】
ａ）アンテナと、
ｂ）前記制御部から前記準備された信号を受信し、該準備された信号を前記アンテナを介して前記ホスト・データ・プロセッサに送信する、該制御部に接続された送信機と、
を更に含み、
ｃ）電力電池は第１電池であり、
ｄ）前記電力制御回路は、前記光電池エレメントにより生成された電気エネルギーと、前記電力電池に蓄えられた電気エネルギーとを、前記送信機に更に供給する、
請求項１に記載されたポインティング・デバイス。
【請求項１２】
前記電力制御回路は、前記光電池エレメントにより生成された電気エネルギーと、前記電力電池に蓄えられた電気エネルギーとを、前記動作検出器に更に供給する、請求項１１に記載されたポインティング・デバイス。
【請求項１３】
ａ）１または複数のスイッチを含み、該１または複数のスイッチのそれぞれが少なくとも２つの状態を想定でき、前記制御部が該１または複数のスイッチの状態を感知できるように該制御部に接続されたスイッチ・アセンブリと、
ｂ）前記１または複数のスイッチを作動させる１または複数のボタンと、
を更に含み、
前記制御部が前記１または複数のスイッチの状態を感知して、該１または複数のスイッチの状態に対応したクリック信号を、前記ホスト・データ・プロセッサに送信するために送信機に送信する請求項１２に記載されたポインティング・デバイス。
【請求項１４】
前記送信機がＲＦ送信機を含む、請求項１３に記載されたポインティング・デバイス。
【請求項１５】
前記送信機が赤外線送信機を含む、請求項１３に記載されたポインティング・デバイス。
【請求項１６】
ポインティング・デバイスがコードレスのコンピューター・マウスである、請求項１４または請求項１５に記載されたポインティング・デバイス。
【請求項１７】
ポインティング・デバイスがコードレスのコンピューター・トラックボールである、請求項１４または請求項１５に記載されたポインティング・デバイス。
【請求項１８】
ポインティング・デバイスがコードレスのコンピューター・ペンである、請求項１４または請求項１５に記載されたポインティング・デバイス。
【請求項１９】
ポインティング・デバイスがコードレスのジョイスティックである、請求項１４または請求項１５に記載されたポインティング・デバイス。
【請求項２０】
前記光電池エレメントが電気エネルギーを生成し得る電磁スペクトルの一部に対して透過的であるアウター・シェルを更に含み、該光電池エレメントが前記ポインティング・デバイスのアウター・シェル内に配置された、請求項１に記載されたポインティング・デバイス。
【請求項２１】
ポインティング・デバイスがコードレスのコンピューター・マウスである、請求項２０に記載されたポインティング・デバイス。
【請求項２２】
ポインティング・デバイスがコードレスのコンピューター・トラックボールである、請求項２０に記載されたポインティング・デバイス。
【請求項２３】
ポインティング・デバイスがコードレスのコンピューター・ペンである、請求項２０に記載されたポインティング・デバイス。
【請求項２４】
ポインティング・デバイスがコードレスのジョイスティックである、請求項２０に記載されたポインティング・デバイス。
【請求項２５】
ａ）アンテナと、
ｂ）前記制御部から前記準備された信号を受信し、該準備された信号を前記アンテナを介して前記ホスト・データ・プロセッサに送信する、該制御部に接続された送信機と、
ｃ）１または複数のスイッチを含み、該１または複数のスイッチのそれぞれが少なくとも２つの状態を想定でき、前記制御部が該１または複数のスイッチの状態を感知できるように該制御部に接続されたスイッチ・アセンブリと、
ｄ）前記１または複数のスイッチを作動させる１または複数のボタンと、
を更に含み、
ｅ）前記制御部が前記１または複数のスイッチの状態を感知して、該１または複数のスイッチの状態に対応したクリック信号を、前記ホスト・データ・プロセッサに送信するために送信機に送信し、
ｆ）電力電池は第２電池であり、
ｇ）前記電力制御回路は、前記光電池エレメントにより生成された電気エネルギーと、前記電力電池に蓄えられた電気エネルギーとを、前記送信機及び前記動作検出器に更に供給し、
ｈ）前記電力制御回路は、前記光電池エレメントにより生成された電気エネルギーが前記制御部、前記送信機、及び前記動作検出器へ前記電力制御回路によって供給された電力を超過すると、電力電池を充電する、請求項２０に記載されたポインティング・デバイス。
【請求項２６】
ａ）前記ポインティング・デバイスがコードレス・マウスであり、
ｂ）前記送信機がＲＦ送信機を含む、
請求項２５に記載されたポインティング・デバイス。
【請求項２７】
ａ）前記ポインティング・デバイスがコードレス・トラックボールであり、
ｂ）前記送信機がＲＦ送信機を含む、
請求項２５に記載されたポインティング・デバイス。
【請求項２８】
ａ）前記ポインティング・デバイスがコードレス・ペンであり、
ｂ）前記送信機がＲＦ送信機を含む、
請求項２５に記載されたポインティング・デバイス。
【請求項２９】
ａ）前記ポインティング・デバイスがコードレス・ジョイスティックであり、
ｂ）前記送信機がＲＦ送信機を含む、
請求項２５に記載されたポインティング・デバイス。
【請求項３０】
ａ）前記ポインティング・デバイスがコードレス・マウスであり、
ｂ）前記送信機が赤外線送信機を含む、
請求項２５に記載されたポインティング・デバイス。
【請求項３１】
ａ）前記ポインティング・デバイスがコードレス・トラックボールであり、
ｂ）前記送信機が赤外線送信機を含む、
請求項２５に記載されたポインティング・デバイス。
【請求項３２】
ａ）前記ポインティング・デバイスがコードレス・ペンであり、
ｂ）前記送信機が赤外線送信機を含む、
請求項２５に記載されたポインティング・デバイス。
【請求項３３】
ａ）前記ポインティング・デバイスがコードレス・ジョイスティックであり、
ｂ）前記送信機が赤外線送信機を含む、
請求項２５に記載されたポインティング・デバイス。
【請求項３４】
ａ）ポインティング・デバイスの操作に応答して、該操作を記述する電気信号を生成する動作検出器と、
ｂ）前記操作を記述する前記動作検出器から前記電気信号を受信し、該受信した電気信号をホスト・データ・プロセッサに送信するために準備する、該動作検出器に接続された制御部と、
ｃ）時間変化する磁場の影響を受けて、２次的ＡＣ電力信号を生成する２次コイルと、
ｄ）前記２次コイルから前記２次的ＡＣ電力信号を受信し、該２次的ＡＣ電力信号から２次的ＤＣ電力を生成して前記２次コイルに接続され、かつ、該２次的ＤＣ電力を前記制御部に接続させる該制御部と接続される電力調整器と、
を含み、
ホスト・データ・プロセッサとコミュニケーションを行なうポインティング・デバイス。
【請求項３５】
ａ）ベースと、
ｂ）電子モジュールと、
ｃ）時間変化する磁場を介して、２次コイルと誘導的に結合する１次コイルと、
ｄ）１次のＤＣ電力を供給するＤＣ電源と接続するオシレーターとドライバーを含み、該１次のＤＣ電力から１次のＡＣ電力信号を生成し、１次コイルを該１次のＡＣ電力信号で駆動して時間変化する磁場を生成する前記電子モジュールと、
を含むパッドを更に含む、請求項３４に記載されたポインティング・デバイス。
【請求項３６】
ａ）アンテナと、
ｂ）前記制御部に接続されて該制御部から前記準備された信号を受信し、前記アンテナに接続されて該準備された信号を該アンテナを介して前記ホスト・データ・プロセッサに送信し、前記電力調整器に接続されて前記２次的ＤＣ電力を該電力調整器から受取る送信機と、
を更に含む、請求項３５に記載されたポインティング・デバイス。
【請求項３７】
１または複数のスイッチを含み、該１または複数のスイッチのそれぞれが少なくとも２つの状態を想定でき、前記制御部が該１または複数のスイッチの状態を感知できるように該制御部に接続されたスイッチ・アセンブリを更に含み、
ａ）前記制御部は、前記１または複数のスイッチの状態に対応するクリック信号を生成し、
ｂ）前記送信機は、前記制御部から前記クリック信号を受信して、該クリック信号を前記アンテナを介して前記ホスト・プロセッサーに送信する、
請求項３６に記載されたポインティング・デバイス。
【請求項３８】
前記送信機がＲＦ送信機を含む、請求項３７に記載されたポインティング・デバイス。
【請求項３９】
前記送信機が赤外線送信機を含む、請求項３７に記載されたポインティング・デバイス。
【請求項４０】
ａ）ベースと、
ｂ）時間変化する磁場を介して２次コイルと誘導的に結合し、該時間変化する磁場を生成する１次のＡＣ電力信号によって駆動される１次コイルと、
を含むパッドを更に含む、請求項３４に記載されたポインティング・デバイス。
【請求項４１】
ａ）アンテナと、
ｂ）前記制御部に接続されて該制御部から前記準備された信号を受信し、前記アンテナに接続されて該準備された信号を該アンテナを介して前記ホスト・データ・プロセッサに送信し、前記電力調整器に接続されて前記２次的ＤＣ電力を該電力調整器から受取る送信機と、
を更に含む、請求項４０に記載されたポインティング・デバイス。
【請求項４２】
１または複数のスイッチを含み、該１または複数のスイッチのそれぞれが少なくとも２つの状態を想定でき、前記制御部が該１または複数のスイッチの状態を感知できるように該制御部に接続されたスイッチ・アセンブリを更に含み、
ａ）前記制御部は、前記１または複数のスイッチの状態に対応するクリック信号を生成し、
ｂ）前記送信機は、前記制御部から前記クリック信号を受信して、該クリック信号を前記アンテナを介して前記ホスト・プロセッサーに送信する、
請求項４１に記載されたポインティング・デバイス。
【請求項４３】
ａ）ベースと、電子モジュールと、時間変化する磁場を介して２次コイルと誘導的に結合した１次コイルとを含み、該電子モジュールは外部のＤＣ電源と接続するオシレーターとドライバーを含み、１次のＡＣ電力信号を生成し、前記１次コイルを該１次のＡＣ電力信号で駆動して時間変化する磁場を生成するパッドと、
ｂ）アンテナと、
ｃ）前記制御部から前記準備された信号を受信し、該準備された信号を前記アンテナを介して前記ホスト・データ・プロセッサに送信する、該制御部に接続された送信機と、
ｄ）電力制御回路と、
ｅ）２次コイルに接続されて該２次コイルから２次的ＡＣ電力信号を受け取り、該２次的ＡＣ電力から２次的ＤＣ電力を生成し、電力制御回路に接続された電力調整器と、
ｆ）電気エネルギーを蓄え、電力制御回路に接続された再充電可能な電力電池と、
を更に含み、
前記電力制御回路が前記電池に蓄えられた電気エネルギーと前記２次的ＤＣ電力を、前記制御部と前記送信機へ供給し、
該２次的ＤＣ電力が該制御部と該送信機へ供給された電力を超過すると、前記電力制御回路が該２次的ＤＣ電力を該電池に再充電する、
請求項３４に記載されたポインティング・デバイス。
【請求項４４】
１または複数のスイッチを含み、該１または複数のスイッチのそれぞれが少なくとも２つの状態を想定でき、前記制御部が該１または複数のスイッチの状態を感知できるように該制御部に接続されたスイッチ・アセンブリを更に含み、
ａ）前記制御部は前記１または複数のスイッチの状態に対応するクリック信号を生成し、
ｂ）前記送信機が該制御部から該クリック信号を受信し、該クリック信号を前記アンテナを介してホスト・プロセッサーへ送信する、
請求項４３に記載されたポインティング・デバイス。
【請求項４５】
ａ）ベースと、時間変化する磁場を介して２次コイルと誘導的に結合した１次コイルとを含み、該１次コイルが時間変化する磁場を生成するＡＣ電力信号により駆動されるパッドと、
ｂ）アンテナと、
ｃ）前記制御部から前記準備された信号を受信し、該準備された信号を前記アンテナを介して前記ホスト・データ・プロセッサに送信する、該制御部に接続された送信機と、
ｄ）電力制御器と、
ｅ）電気エネルギーを蓄え、前記電力制御器に接続された再充電可能な電力電池と、
を更に含み、
前記電力制御器が前記電池に蓄えられた電力と前記２次的ＤＣ電力を、前記制御部と前記送信機へ供給し、
該２次的ＤＣ電力が該制御部と該送信機へ供給された電力を超過すると、該電力制御器が該２次的ＤＣ電力を該電池に再充電する、
請求項３４に記載されたポインティング・デバイス。
【請求項４６】
１または複数のスイッチを含み、該１または複数のスイッチのそれぞれが少なくとも２つの状態を想定でき、前記制御部が該１または複数のスイッチの状態を感知できるように該制御部に接続されたスイッチ・アセンブリを更に含み、
ａ）前記制御部は前記１または複数のスイッチの状態に対応するクリック信号を生成し、
ｂ）前記送信機が該制御部から該クリック信号を受信し、該クリック信号を前記アンテナを介してホスト・プロセッサーへ送信する、
請求項４５に記載されたポインティング・デバイス。
【請求項４７】
ａ）複数の永久磁石が埋め込まれたベースを含み、該複数の埋め込まれた永久磁石が該ベース近傍の磁場を放射するパッドを更に含み、
前記時間変化する磁場が、前記永久磁石によって発生する磁場の中を通して前記２次的コイルの運動によって生成される、
請求項３４に記載されたポインティング・デバイス。
【請求項４８】
ａ）アンテナと、
ｂ）前記制御部から前記準備された信号を受信し、該準備された信号を前記アンテナを介して前記ホスト・データ・プロセッサに送信する、該制御部に接続された無線送信機と、
を更に含み、
前記電力調整器が、前記２次的ＤＣ電力の少なくとも一部を前記無線送信機に供給する、
請求項４７に記載されたポインティング・デバイス。
【請求項４９】
低減された電力消費状態と通常の電力消費状態に入ることのできるポインティング・デバイスであって、
ａ）前記ポインティング・デバイスの操作に応答し、該操作を記述する電気信号を生成する動作検出器と、
ｂ）１または複数のスイッチを含み、該１または複数のスイッチのそれぞれが少なくとも２つの状態を想定できるスイッチ・アセンブリと、
ｃ）前記操作を記述する電気信号を受信し、前記１または複数のスイッチの状態を感知し、該操作を記述する電気信号を前記ホスト・データ・プロセッサに送信するために準備し、該１または複数のスイッチの状態に対応するクリック信号を生成する、前記動作検出器及び前記スイッチ・アセンブリに接続された主制御部と、
ｄ）アンテナと、
ｅ）前記主制御部から前記準備された信号と前記クリック信号とを受信し、該準備された信号と該クリック信号とを前記アンテナを介して前記ホスト・データ・プロセッサに送信する、該主制御部及び該アンテナに接続された送信機と、
ｆ）電気エネルギーを蓄える電力電池と、
ｇ）前記ポインティング・デバイスが動作中のとき、ウエイク・アップ信号を生成する作動検知器と
ｈ）第１の所定の期間後に切れるように設定されたタイマーを含み、前記作動検知器から前記ウエイク・アップ信号を受信して各ウエイク・アップ信号受信時より該タイマーを始動することができ、該各ウエイク・アップ信号受信時より前記ポインティング・デバイスを通常の電力状態にすることができ、該タイマーが切れると該ポインティング・デバイスを低減された電力状態に入らせることができる、状態制御機構と、
を含むポインティング・デバイス。
【請求項５０】
ａ）ＤＣ電力を生成する自己電力手段と、
ｂ）前記電力電池及び前記自己電力手段に接続され、前記生成されたＤＣ電力を受取り、電力電池を再充電する電力制御器と、
を更に含む、請求項４９に記載されたポインティング・デバイス。
【請求項５１】
自己電力手段が光電池を含む、請求項５０に記載されたポインティング・デバイス。
【請求項５２】
自己電力手段が、マウス・パッド中に交流磁場を誘導する手段と、前記ポインティング・デバイスに該交流磁場を誘導的に接続させる手段と、該誘導的に結合した磁場から該ポインティング・デバイスにＤＣ電力を生成する手段と、を含む請求項５４に記載されたポインティング・デバイス。
【請求項５３】
ワイヤレス・ポインティング・デバイスを作動する方法であって、
ａ）前記ポインティング・デバイス内に再充電可能な電池を供給するステップと、
ｂ）動作するポインティング・デバイスの力学的エネルギーを該ポインティング・デバイスの電力を生成するための電気エネルギーに変換する手段を供給するステップと、
ｃ）前記変換する手段によって生成される電力で、前記再充電可能な電池を充電する回路を供給するステップと、
を含む、ワイヤレス・ポインティング・デバイスを作動する方法。
【請求項５４】
ａ）ポインティング・デバイスを準備するステップと、
ｂ）前記ポインティング・デバイス内に電気エネルギーを生成する光起電装置手段を供給するステップと、
ｃ）前記ポインティング・デバイス内に再充電可能な電池を供給するステップと、
ｄ）前記光起電装置手段によって生成される電気エネルギーで前記再充電可能な電池を充電する回路を供給するステップと、
を含む、ワイヤレス・ポインティング・デバイスを作動する方法。
【請求項５５】
ａ）ポインティング・デバイスを準備するステップと、
ｂ）約１００ｋＨＺ以下の周波数の磁場を誘導することのできるマウス・パッドを準備するステップと、
ｃ）前記磁場からＡＣ電気エネルギーを生成することのできる前記ポインティング・デバイス内にコイルを供給するステップと、
ｄ）前記ポインティング・デバイスの作動に好適なＤＣ電気エネルギーにＡＣ電気エネルギーを変換するために、前記ポインティング・デバイス内に整流化、フィルタリング、調節の回路を供給するステップと、
を含む、ワイヤレス・ポインティング・デバイスを作動する方法。
【請求項５６】
コードレスの再充電可能なポインティング・デバイスであって、
ａ）ホスト・コンピューターに前記デバイスの操作を記述する信号を送信する手段と、
ｂ）再充電可能な電池と、
ｃ）電気エネルギーを生成する前記ポインティング・デバイス内の光起電装置手段と、
ｄ）前記光起電装置手段によって生成された電気エネルギーで、前記ポインティング・デバイス内の再充電可能な電池を充電する電気回路と、
を含む、コードレスの再充電可能なポインティング・デバイス。
【請求項５７】
コードレスの再充電可能なポインティング・デバイスであって、
ａ）ホスト・コンピューターに前記デバイスの操作を記述する信号を送信する手段と、
ｂ）約１００ｋＨＺ以下の周波数の磁場を誘導することのできる手段を誘導するマウス・パッドと、
ｃ）前記磁場からＡＣ電気エネルギーを生成することのできる前記ポインティング・デバイス内のコイルと、
ｄ）前記ポインティング・デバイスの作動に好適なＤＣ電気エネルギーにＡＣ電気エネルギーを変換するための、前記ポインティング・デバイス内の整流化、フィルタリング、調節の回路と、
を含む、コードレスの再充電可能なポインティング・デバイス。
【請求項５８】
請求項５７に記載されたコードレスの再充電可能なポインティング・デバイスであって、
該ポインティング・デバイスがコンピューター・マウス、コンピューター・ペンからなるグループから選択される、コードレスの再充電可能なポインティング・デバイス。
【請求項５９】
コードレスの再充電可能なポインティング・デバイスであって、
ａ）ホスト・コンピューターに前記デバイスの操作を記述する信号を送信する手段と、
ｂ）再充電可能な電池と、
ｃ）機械的な力から電力を生成し得る発電機と、
ｄ）前記ポインティング・デバイス内に吊下げられ、力学的エネルギーを電力に変換する前記発電機に接続されたフライホイールと、
ｅ）前記発電機によって生成される電力で、前記再充電可能な電池を充電する電気回路と、
を含む、コードレスの再充電可能なポインティング・デバイス。
【請求項６０】
ポインティング・デバイスであって、
ａ）動作検出器と、
ｂ）前記ポインティング・デバイスの操作を記述する前記動作検出器から電気信号を受信し、該受信した電気信号をホスト・データ・プロセッサに送信するために準備する、該動作検出器に接続された制御部と、
ｃ）電力制御回路と、
ｄ）前記電力制御回路に接続された、電気エネルギーを蓄える電力電池と、
ｅ）フライホイールと、
ｆ）前記ポインティング・デバイスの運動の力学的エネルギーを電気エネルギーに変換する前記フライホイールおよび前記変換された電気エネルギーを前記電力制御回路へ供給する該電力制御回路に接続された発電機と、
を含み、
前記電力制御回路が、前記発電機によって変換された電気エネルギーと電力電池に蓄えられた電気エネルギーを前記制御部に供給する、ポインティング・デバイス。